(57)【特許請求の範囲】
【請求項１】
基礎立ち上がり部が、予め形成された複数の束部と、該束部間を連結するパネル部材と有する基礎において、
前記束部の前記パネル部材連結部には、上面側に被係合部を形成した被係合部材を設けると共に、前記パネル部材の束部連結部には、下面側に、前記被係合部に係合することにより、該パネル部材の前記束部に対する相対位置を所定寸法位置に納める係合部を形成した係合部材を設けて、前記被係合部材は、前記束部の側面部に設けられると共に、前記係合部材は、前記パネル部材の内側面部に設けられることを特徴とする基礎。
【請求項２】
前記係合部又は被係合部のうち、少なくとも一方には、係合される他の一方の部材に対して、収まり位置まで円滑にガイドするガイド曲線が形成されていることを特徴とする請求項１記載の基礎。
【請求項３】
予め形成された複数の束部を載置して、該束部間をパネル部材で連結することにより、基礎立ち上がり部が形成される基礎の構築方法において、前記束部の側面部の前記パネル部材連結部に設けられ、上面側に被係合部を形成した被係合部材に対して、前記パネル部材の内側面部の束部連結部に設けられ、下面側に係合部を形成した係合部材を上方から装着することにより、該パネル部材の前記束部に対する相対位置を所定寸法位置に納めることを特徴とする基礎の構築方法。
【発明の詳細な説明】
【０００１】
【発明の属する技術分野】
この発明は、主に、建築物の床下部に載置されて荷重を負担する基礎とその構築方法に関するものである。
【０００２】
【従来の技術】
従来のこの種のものとしては、例えば、図４及び図５に示す様なものが知られている（特開平８−２４８３９２号公報参照）。
【０００３】
このようなものでは、建築物の床下部１に、現場打ちされるベースコンクリート部２と、基礎立ち上がり部３とが、設けられている。
【０００４】
このうち、基礎立ち上がり部３は、建築物の隅部或は、柱部の下方に位置して、建物荷重を負担する複数のプレキャストコンクリート束（以下ＰＣ束と記す）部４，５と、このＰＣ束部４，５間を連結する化粧パネル部材６…とによって主に構成されている。
【０００５】
このうち、前記ＰＣ束部４，５及び化粧パネル部材６は、予め工場にて形成される物である。
【０００６】
このような構成の従来の基礎とその構築方法では、まず、予め工場にて形成された前記ＰＣ束部４，５及び化粧パネル部材６が、施工現場に搬入されて、まず、ＰＣ束部４，５が所定の位置に載置される。
【０００７】
そして、このＰＣ束部４，５と、地表面等との水平方向の位置出しが行なわれた後、このＰＣ束部４，５と、地表面等との間に、ベースコンクリートが現場打ちされて、前記ベースコンクリート部２が形成される。
【０００８】
その後、図５に示す様に、各ＰＣ束部４，５と、前記化粧パネル部材６との間が、複数の略Ｌ字状の取付金具７…を用いて、ボルト部材８…及びナット部材９…等によって連結されて固定される。
【０００９】
そして、この基礎立ち上がり部２が、建築物の床下部１下方を略囲むように形成される。
【００１０】
【発明が解決しようとする課題】
しかしながら、このような従来のものでは、載置された各ＰＣ束部４，５と、前記化粧パネル部材６との間が、複数の略Ｌ字状の取付金具７…を用いて、ボルト部材８…及びナット部材９…等によって連結されるので、取付孔の位置決めが困難であった。
【００１１】
また、ボルト部材８…及びナット部材９…の締付け位置が一箇所で異なっていたことを、基礎立ち上がり部２形成後に気づいても、調整を行なうためには、他のＰＣ束部４，５の載置位置も調整しなければならず、困難であった。
【００１２】
しかも、ＰＣ束部４，５は、比較的軽量であるので、これらの調整を行なう際に、無理な力がかかることによって、動かす必要の無いＰＣ束部４，５まで、動いてしまうといった問題もあった。
【００１３】
そこで、この発明は、施工が容易で、位置調整の必要が無い基礎とその構築方法を提供することを課題としている。
【００１４】
【課題を解決するための手段】
前記課題を解決するため本願発明の請求項１に記載されたものでは、基礎立ち上がり部が、予め形成された複数の束部と、該束部間を連結するパネル部材と有する基礎において、
前記束部の前記パネル部材連結部には、上面側に被係合部を形成した被係合部材を設けると共に、前記パネル部材の束部連結部には、下面側に、前記被係合部に係合することにより、該パネル部材の前記束部に対する相対位置を所定寸法位置に納める係合部を形成した係合部材を設けて、前記被係合部材は、前記束部の側面部に設けられると共に、前記係合部材は、前記パネル部材の内側面部に設けられる基礎を特徴とする。
【００１５】
このように構成された請求項１記載のものでは、前記束部の前記パネル部材連結部に設けられた被係合部材の上面側に、前記パネル部材の束部連結部に設けられた係合部材の下面側を上方から係合すると、前記被係合部は、係合部にされることにより、該パネル部材の前記束部に対する相対位置が所定寸法位置に納められる。
【００１６】
このため、束部に、パネル部材を係合させるだけで基礎立ち上げ部の施工が略完了し、施工が容易であると共に、束部の被係合部材及びパネル部材の係合部材を予め工場組立とすることにより、精度を向上させることが出来る。従って、位置調整の必要が略無くなる。
【００１８】
また、前記被係合部材が、前記束部の側面部に設けられていると共に、前記係合部材が、前記パネル部材の内側面部に設けられているので、前記束部及びパネル部材の上部から前記被係合部材及び係合部材が、突出する事なく、前記基礎立ち上がり部構築後は、外部から見えにくい箇所に位置するので、外観品質を良好なものとすることが出来る。
【００１９】
そして、請求項２に記載されたものでは、前記係合部又は被係合部のうち、少なくとも一方には、係合される他の一方の部材に対して、収まり位置まで円滑にガイドするガイド曲線が形成されている請求項１記載の基礎を特徴としている。
【００２０】
このように構成された請求項２記載のものでは、前記係合部及び被係合部を係合させる際、少なくとも何れか一方の部材に形成されたガイド曲線が、係合される他の一方の部材を、収まり位置まで円滑にガイドする。
【００２１】
このため、前記パネル部材を上方から載置する際に、位置決め精度を向上させなくとも、所定の収まり位置に、パネル部材がガイドされて収まり、更に施工性が良好である。
【００２２】
また、請求項３に記載されたものでは、予め形成された複数の束部を載置して、該束部間をパネル部材で連結することにより、基礎立ち上がり部が形成される基礎の構築方法において、前記束部の側面部の前記パネル部材連結部に設けられ、上面側に被係合部を形成した被係合部材に対して、前記パネル部材の内側面部の束部連結部に設けられ、下面側に係合部を形成した係合部材を上方から装着することにより、該パネル部材の前記束部に対する相対位置を所定寸法位置に納める基礎の構築方法を特徴としている。
【００２３】
このようにして構成された請求項３記載のものでは、予め形成された複数の束部を載置して、該束部間をパネル部材で連結する際、前記束部の側面部の前記パネル部材連結部に設けられ、上面側に被係合部を形成した被係合部材に対して、前記パネル部材の内側面部の束部連結部に設けられ、下面側に係合部を形成した係合部材を上方から装着することにより、該パネル部材の前記束部に対する相対位置を所定寸法位置に納められる。
【００２４】
このため、束部に、パネル部材を上方から係合させるだけで基礎立ち上げ部の施工が略完了し、施工が容易であると共に、束部の被係合部材及びパネル部材の係合部材を予め工場組立とすることにより、精度を向上させることが出来る。従って、位置調整の必要が略無くなる。
【００２５】
【発明の実施の形態１】
以下、本発明の具体的な実施の形態１について、図面を参照しつつ説明する。
【００２６】
図１乃至図３は、この発明の実施の形態１を示すものである。なお、前記従来例と同一乃至均等な部分については、同一符号を付して説明する。
【００２７】
まず、構成を説明すると、この実施の形態１のものでは、建築物の床下部１に、現場打ちされるベースコンクリート部２と、基礎立ち上がり部３とが、設けられている。
【００２８】
このうち、ベースコンクリート部２には、前記ベースコンクリートを流し込むベース配筋１０…が、縦横方向へ向けて所定間隔を置いて敷設されている。
【００２９】
また、前記基礎立ち上がり部３は、建築物の隅部或は、柱部の下方に位置して、建物荷重を負担する複数のプレキャストコンクリート束（以下ＰＣ束と記す）部１４，１５…と、このＰＣ束部１４，１５間を連結する化粧パネル部材１６…とによって主に構成されている。
【００３０】
前記ＰＣ束部１４，１５及び化粧パネル部材１６は、予め工場にて形成されている。
【００３１】
このうち、前記ＰＣ束部１４，１５は、前記ベースコンクリート部２に定着させる定着筋１４ａ，１５ａが下面部１４ｂ，１５ｂから各々突設されると共に、上面部１４ｃ，１５ｃから、上部に配設される建物ユニットを固定するアンカーボルト１４ｄ，１５ｄが突設されている。
【００３２】
また、この上面部１４ｃ，１５ｃには、各々クレーン吊り下げ時に、アイボルト１７を螺合させて、クレーンフックを係止させると共に、このＰＣ束部１４，１５を載置した後には、螺合を解除してアイボルト１７を取り除くように、ボルト孔１４ｅ，１５ｅが穿設されている。
【００３３】
そして、前記ＰＣ束部１４は、建築物隅部に対応するように水平断面略Ｌ字型形状に形成されると共に、前記ＰＣ束部１５は、柱部の下方に位置して荷重を負担できる様に、水平断面略Ｔ字型形状を呈する様に形成されている。
【００３４】
また、前記ＰＣ束部１４の側面部１４ｆ，１４ｆ及びＰＣ束部１５の側面部１５ｆ，１５ｆには、パネル部材連結部として、束側連結板２０が、予め工場にて設けられている。
【００３５】
この束側連結板２０には、前記側面部１４ｆの鉛直方向に沿う板状本体部２０ａの上下端近傍に、一組の被係合部材１９，１９が、所定間隔を置いて一体に固着されて設けられている。この被係合部材１９上面側には、図３に示す様に、被係合部１８が、係合される他の一方の部材に対して、収まり位置まで円滑にガイドするガイド曲線１８ａを有して形成されている。
【００３６】
この被係合部１８には、ガイド曲線１８ａのうち、最も低い位置に谷部１８ｂが形成されている。
【００３７】
また、前記化粧パネル部材１６の内側面部１６ａには、係合部としてのパネル側連結板２３が設けられる。
【００３８】
このパネル側連結板２３には、前記内側面部１６ａの鉛直方向に沿う板状本体部２３ａの上下端近傍に、一組の被係合部材２２，２２が、所定間隔を置いて一体に固着されて設けられている。この被係合部材２２下面側には、係合部２１が、係合される他の一方の部材に対して、収まり位置まで円滑にガイドするガイド曲線２１ａを有して形成されている。
【００３９】
この係合部２１には、前記被係合部１８の谷部１８ｂに係合することにより、化粧パネル部材１６の前記ＰＣ束部１４，１５に対する相対位置を所定寸法位置に納める山部２１ｂが形成されている。
【００４０】
次に、この実施の形態１の作用を基礎構築順序を追って説明する。
【００４１】
このように構成される実施の形態１のものでは、予め形成された複数のＰＣ束部１４，１５…を載置して、ベースコンクリート部２形成後、各ＰＣ束部１４，１５間を化粧パネル部材１６で連結する際、前記ＰＣ束部１４，１５の前記束側連結部材２０に設けられ、上面側に被係合部１８を形成した被係合部材１９，１９に対して、前記化粧パネル部材１６のパネル側連結板２３に設けられ、下面側に係合部２１を形成した係合部材２２，２２を、図２に示すように、上方から係合させて装着する。
【００４２】
このように前記ＰＣ束部１４，１５の前記被係合部材１９，１９の上面側に、前記化粧パネル部材１６の係合部材２２，２２の下面側を上方から係合すると、前記被係合部１８が、係合部２１に係合されることにより、化粧パネル部材１６の前記ＰＣ束部１４，１５に対する相対位置が所定寸法位置に納められる。
【００４３】
このため、ＰＣ束部１４，１５に、化粧パネル部材１６を上方から係合させるだけで基礎立ち上げ部３の施工が略完了し、施工が容易である。
【００４４】
また、ＰＣ束部１４，１５に設けられる被係合部材１９，１９が、束側連結板２０で一体に接続されると共に、予め側面部１４ｆ又は１５ｆに工場にて固着されていると共に、化粧パネル部材１６に設けられる係合部材２２，２２が、パネル側連結板２３で一体に接続されると共に、予め内側面部１６ａに工場にて固着されている。
【００４５】
このように、予め工場組立とすることにより、精度を向上させることが出来る。従って、化粧パネル部材１６装着時の位置調整の必要が略無くなる。
【００４６】
また、この実施の形態１では、被係合部材１９，１９が、前記ＰＣ束部１４，１５の側面部１４ｆ，１５ｆに設けられていると共に、前記係合部材２２が、前記化粧パネル部材１６の内側面部１６ａに設けられている。
【００４７】
このため、前記ＰＣ束部１４及び化粧パネル部材１６の上部から前記被係合部材１９及び係合部材２２が、突出する事なく、前記基礎立ち上がり部３構築後は、外部から見えにくい箇所に位置するので、従来のボルト部材８或はナット部材９が、化粧パネル部材６から突出してしまう図５に示すような従来のものに比して外観品質を良好なものとすることが出来る。
【００４８】
更に、この実施の形態１では、前記係合部２１及び被係合部１８を係合させる際、係合部材２２及び被係合部材２３に形成されたガイド曲線２１ａ，１８ａが、係合される他の一方の部材２３，２２を、図３中、実線で示す係合部材２２が降ろされた位置から、収まり位置である前記谷部１８ｂに山部２１ｂが対向して嵌合する位置までガイドする。この際、前記化粧パネル部材１６及び係合部材２２の自重によって、図中二点鎖線で示す様に円滑に滑り落とされて、化粧パネル部材１６の収まる方向へ係合部材２２がガイドされる。
【００４９】
このため、前記化粧パネル部材１６をクレーン等によって上方から載置する際に、位置決め精度を向上させなくとも、係合部材２２を被係合部材２３に降ろした位置から所定の収まり位置まで、化粧パネル部材１６がガイドされて収まり、一定の重さを有する化粧パネル部材１６を調整のために再度持ち上げる等を行なう必要がなくなり、更に施工性が良好である。
【００５０】
以上、この発明の実施の形態１を図面により詳述してきたが、具体的な構成はこの実施の形態１に限らず、この発明の要旨を逸脱しない範囲の設計の変更等があってもこの発明に含まれる。
【００５１】
例えば、前記実施の形態１では、両係合部材２２及び被係合部材２３に形成されたガイド曲線２１ａ，１８ａが、係合される他の一方の部材２３，２２を、収まり位置である前記谷部１８ｂに山部２１ｂが嵌合する位置までガイドする様にしているが、特にこれに限らず、例えば、何れか一方の係合部材２２又は被係合部材２３にのみ、ガイド曲線を形成する等、少なくとも何れか一方の部材に形成されていればよく、また、ガイド曲線２１ａ，１８ａを有さない場合でも、被係合部材の上面側に、前記パネル部材の束部連結部に設けられた係合部材の下面側を上方から係合すると、前記被係合部は、係合部にされることにより、該パネル部材の前記束部に対する相対位置が所定寸法位置に納められるものであるならば、とのような形状の係合部及び被係合部であってもよい。
【００５２】
【発明の効果】
以上説明してきたように、この発明の請求項１記載のものによれば、前記束部の前記パネル部材連結部に設けられた被係合部材の上面側に、前記パネル部材の束部連結部に設けられた係合部材の下面側を上方から係合すると、前記被係合部は、係合部にされることにより、該パネル部材の前記束部に対する相対位置が所定寸法位置に納められる。
【００５３】
このため、束部に、パネル部材を係合させるだけで基礎立ち上げ部の施工が略完了し、施工が容易であると共に、束部の被係合部材及びパネル部材の係合部材を予め工場組立とすることにより、精度を向上させることが出来る。従って、位置調整の必要が略無くなる。
【００５４】
また、前記被係合部材が、前記束部の側面部に設けられていると共に、前記係合部材が、前記パネル部材の内側面部に設けられているので、前記束部及びパネル部材の上部から前記被係合部材及び係合部材が、突出する事なく、前記基礎立ち上がり部構築後は、外部から見えにくい箇所に位置するので、外観品質を良好なものとすることが出来る。
【００５５】
そして、請求項２に記載されたものでは、前記係合部及び被係合部を係合させる際、少なくとも何れか一方の部材に形成されたガイド曲線が、係合される他の一方の部材を、収まり位置まで円滑にガイドする。
【００５６】
このため、前記パネル部材を上方から載置する際に、位置決め精度を向上させなくとも、所定の収まり位置に、パネル部材がガイドされて収まり、更に施工性が良好である。
【００５７】
また、請求項３に記載されたものでは、予め形成された複数の束部を載置して、該束部間をパネル部材で連結することにより、基礎立ち上がり部が形成される基礎の構築方法において、前記束部の側面部の前記パネル部材連結部に設けられ、上面側に被係合部を形成した被係合部材に対して、前記パネル部材の内側面部の束部連結部に設けられ、下面側に係合部を形成した係合部材を上方から装着することにより、該パネル部材の前記束部に対する相対位置を所定寸法位置に納められる。
【００５８】
このため、束部に、パネル部材を上方から係合させるだけで基礎立ち上げ部の施工が略完了し、施工が容易であると共に、束部の被係合部材及びパネル部材の係合部材を予め工場組立とすることにより、精度を向上させることが出来る、という実用上有益な効果を発揮する。
【図面の簡単な説明】
【図１】本発明の実施の形態１の基礎とその構築方法を示し、ベースコンクリート部を打つ前の基礎立ち上がり部の斜視図である。
【図２】本発明の実施の形態１の基礎とその構築方法を示し、化粧パネル部材をＰＣ束部に装着する様子を説明する側面図である。
【図３】本発明の実施の形態１の基礎とその構築方法を示し、係合部材及び被係合部材の係合状態を説明する模式図である。
【図４】従来例の基礎とその構築方法を示す斜視図である。
【図５】従来例の基礎とその構築方法を示し、化粧パネル部材をＰＣ束部に装着する様子を説明する斜視図である。
【符号の説明】
３        基礎立ち上がり部
１６      化粧パネル部材
１６ａ    内側面
１８      被係合部
１８ａ    ガイド曲線
１８ｂ    谷部
１９      被係合部材
２０      束側連結板（パネル部材連結部）
２１      係合部
２１ａ    ガイド部材
２１ｂ    山部
２２      係合部材
２３      パネル側連結板（束部連結部）
【図１】
0003756282.tif 000002
【図２】
0003756282.tif 000003
【図３】
0003756282.tif 000004
【図４】
0003756282.tif 000005
【図５】
0003756282.tif 000006